(57)【要約】【課題】上流側の大入賞口装置において開閉部材が閉状態の間でも、下流側の大入賞口装置における大入賞口の幅寸法が制限値である所定の大きさを越えることがなく、また、上流側と下流側の大入賞口装置の合計幅寸法を前記所定の大きさよりも小さくせずに遊技者の遊技意欲を減退させることのない、パチンコ遊技機を提供する。【解決手段】第一大入賞口装置３１と第二大入賞口装置４１とは、第一大入賞口３２と第二大入賞口４２とが幅方向に接近して並ぶように遊技盤５に配設され、第一開閉部材３３が閉状態の間に第一大入賞口装置３１に流下する遊技球が第二大入賞口装置４１の側に誘導され、第一大入賞口装置３１と第二大入賞口装置４１との間に、遊技球を球通路５２に流入させることが可能な球入口５７が設けられ、球入口５７に流入した遊技球を第一大入賞口装置３１及び第二大入賞口装置４１に入賞しない領域に案内する球通路が形成されている。【選択図】図４
2014090990.tif 000002
【特許請求の範囲】
【請求項１】
遊技盤と、該遊技盤に設けられ、第一入賞口を開閉する第一開閉部材を備える第一可変入賞装置と、前記遊技盤に設けられ、第二入賞口を開閉する第二開閉部材を備える第二可変入賞装置と、を具備し、前記第一可変入賞装置が前記第二可変入賞装置に対して前記遊技盤上を転動する遊技球の流れにおける上流側に位置するとともに、前記第一可変入賞装置と前記第二可変入賞装置とが幅方向に並んで接近配置され、
前記第一可変入賞装置は、前記第一入賞口がその上面を開口して前記遊技盤の前方に設けられるとともに、前記第一開閉部材を前後方向に進退可能として、前記第一開閉部材が遊技盤から前進した状態では、前記第一入賞口の上面を塞ぐことにより前記第一入賞口を閉状態とし、前記第一開閉部材が遊技盤の前側から退避した状態では、前記第一入賞口の上面を開放することにより前記第一入賞口を開状態として、前記第一入賞口を開閉するように構成され、
前記第一開閉部材が開状態の場合には前記第一可変入賞装置に流れる遊技球を前記第一入賞口に入賞させ、前記第一開閉部材が閉状態で前記第二開閉部材が開状態の場合には前記第一可変入賞装置に流れる遊技球を前記第一開閉部材により前記第二可変入賞装置に誘導して前記第二入賞口に入賞させる、パチンコ遊技機であって、
前記遊技盤における前記第一可変入賞装置と前記第二可変入賞装置との間に遊技球を流入させることが可能な球入口が設けられるとともに、前記球入口に流入した遊技球を前記第一可変入賞装置及び前記第二可変入賞装置に入賞しない領域に案内する球通路を備えたことを特徴とするパチンコ遊技機。
【請求項２】
前記球通路は、遊技球を前記第一可変入賞装置及び前記第二可変入賞装置と異なる他の入賞口に入賞する可能性のある領域に案内することを特徴とする請求項１に記載のパチンコ遊技機。
【請求項３】
前記球通路は、前記球入口に流入する遊技球を前記遊技盤の表側から裏側に案内する第一通路と、前記第一通路を通過した遊技球を前記遊技盤の裏側を通して案内する第二通路と、前記第二通路を通過した遊技球を前記遊技盤の裏側から表側に案内する第三通路とを備えることを特徴とする請求項１又は請求項２に記載のパチンコ遊技機。
【発明の詳細な説明】
【技術分野】
【０００１】
本発明は、パチンコ遊技機の技術に関し、具体的にはパチンコ遊技機における可変入賞装置に関する。
【背景技術】
【０００２】
従来、パチンコ遊技機においては、遊技盤に二個の入賞口を設けて遊技性を高める技術が用いられている（例えば、特許文献１を参照）。しかし近年、パチンコ遊技機においては図柄表示装置の大型化や可動演出役物の増加が進む傾向にあり、遊技盤面上に大入賞口装置等の他の遊技部品を配置するスペースが少なくなりつつある。
【０００３】
このため、図１０に示す如く、二個の大入賞口装置を接近させて同一の台板上に（１ユニット化して）配置し、集約度を高めてコンパクト化することが考えられる。この場合、上流側の大入賞口装置と下流側の大入賞口装置とのそれぞれに遊技球を流入させる構成として、上流側の大入賞口装置にその上面を開閉する開閉部材を配設することがある（例えば、特許文献２を参照）。そして、開閉部材が開状態の間は遊技球を上流側の大入賞口装置における入賞口の方向に流下させる一方、開閉部材が閉状態の間は上流側の大入賞口装置に流下する遊技球を、図１０中の矢印Ｆに示す如く前記開閉部材の上面を誘導部材として機能させて、下流側の大入賞口装置に誘導するのである。
【先行技術文献】
【特許文献】
【０００４】
【特許文献１】特開２０１１−２００５６２号公報
【特許文献２】特開２０１２−４５１４１号公報
【発明の概要】
【発明が解決しようとする課題】
【０００５】
しかし、図１０の如く構成した場合は、開閉部材が閉状態の間に上流側の大入賞口装置に流下する遊技球は、全て下流側の大入賞口装置に流れる。具体的には、上流側の大入賞口装置における開閉部材が誘導部材として機能し、遊技球を下流側の大入賞口装置に誘導することになる。この場合、上流側の大入賞口装置における開閉部材は下流側の大入賞口装置における球入口の一部とみなされる。このため、下流側の大入賞口装置における入賞口の幅寸法は、上流側と下流側の大入賞口装置の合計幅寸法（図１０中に示す幅Ｄ）となり、下流側の大入賞口装置における実際の幅寸法よりも大きくなる。
【０００６】
一方、入賞口の幅寸法は所定の大きさ以下に制限するように求められているため、上記の如く構成した場合、上流側の大入賞口装置において開閉部材が閉状態の間は、下流側の大入賞口装置における入賞口の幅寸法が制限値である前記所定の大きさを越える可能性がある。また、上流側と下流側におけるそれぞれの入賞口の合計幅寸法を前記所定の大きさよりも小さくした場合は、それぞれの入賞口における幅寸法が小さくなるため、遊技者の遊技意欲を減退させることに繋がる。
【０００７】
本発明は、上記のような問題点に鑑みてなされたものであり、二個の大入賞口装置における入賞口を接近させて配置した場合に、上流側の大入賞口装置において開閉部材が閉状態の間でも、下流側の大入賞口装置における入賞口の幅寸法が制限値である所定の大きさを越えることがなく、また、上流側と下流側の大入賞口装置の合計幅寸法を前記所定の大きさよりも小さくせずに遊技者の遊技意欲を減退させることのない、パチンコ遊技機を提供するものである。
【課題を解決するための手段】
【０００８】
本発明の解決しようとする課題は以上の如くであり、次にこの課題を解決するための手段を説明する。
【０００９】
即ち、請求項１においては、遊技盤と、該遊技盤に設けられ、第一入賞口を開閉する第一開閉部材を備える第一可変入賞装置と、前記遊技盤に設けられ、第二入賞口を開閉する第二開閉部材を備える第二可変入賞装置と、を具備し、前記第一可変入賞装置が前記第二可変入賞装置に対して前記遊技盤上を転動する遊技球の流れにおける上流側に位置するとともに、前記第一可変入賞装置と前記第二可変入賞装置とが幅方向に並んで接近配置され、前記第一可変入賞装置は、前記第一入賞口がその上面を開口して前記遊技盤の前方に設けられるとともに、前記第一開閉部材が遊技盤から前進した状態では、前記第一入賞口の上面を塞ぐことにより前記第一入賞口を閉状態とし、前記第一開閉部材が遊技盤の前側から退避した状態では、前記第一入賞口の上面を開放することにより前記第一入賞口を開状態として、前記第一開閉部材を前後方向に進退させることにより前記第一入賞口を開閉するように構成され、前記第一開閉部材が開状態の場合には前記第一可変入賞装置に流れる遊技球を前記第一入賞口に入賞させ、前記第一開閉部材が閉状態で前記第二開閉部材が開状態の場合には前記第一可変入賞装置に流れる遊技球を前記第一開閉部材により前記第二可変入賞装置に誘導して前記第二入賞口に入賞させる、パチンコ遊技機であって、前記遊技盤における前記第一可変入賞装置と前記第二可変入賞装置との間に遊技球を流入させることが可能な球入口が設けられるとともに、前記球入口に流入した遊技球を前記第一可変入賞装置及び前記第二可変入賞装置に入賞しない領域に案内する球通路を備えたものである。
【００１０】
請求項２においては、前記球通路は、遊技球を前記第一可変入賞装置及び前記第二可変入賞装置と異なる他の入賞口に入賞する可能性のある領域に案内するものである。
【００１１】
請求項３においては、前記球通路は、前記球入口に流入する遊技球を前記遊技盤の表側から裏側に案内する第一通路と、前記第一通路を通過した遊技球を前記遊技盤の裏側を通して案内する第二通路と、前記第二通路を通過した遊技球を前記遊技盤の裏側から表側に案内する第三通路とを備えるものである。
【発明の効果】
【００１２】
本発明により、パチンコ遊技機において、上流側の大入賞口装置において開閉部材が閉状態の間でも、下流側の大入賞口装置における入賞口の幅寸法が制限値である所定の大きさを越えることがなく、上流側と下流側の大入賞口装置における入賞口の合計幅寸法を前記所定の大きさよりも小さくせずに遊技者の遊技意欲を減退させることを防止することが可能となる。
【図面の簡単な説明】
【００１３】
【図１】本発明の第一実施形態に係るパチンコ遊技機の全体的な構成を示した正面図。
【図２】同じく、パチンコ遊技機の窓枠が開放された状態の構成を示した正面斜視図。
【図３】第一及び第二大入賞口装置が配置された遊技盤の構成を示した正面図。
【図４】第一及び第二大入賞口装置を示した正面図。
【図５】（ａ）は第一及び第二大入賞口装置が配設される台板を示した正面図、（ｂ）はカバー部材の前後方向中途部における断面図。
【図６】カバー部材を台板に取り付ける状態を示した斜視図。
【図７】（ａ）及び（ｂ）はそれぞれ第一開閉部材を開閉した状態を示した斜視図。
【図８】（ａ）及び（ｂ）はそれぞれ別実施例に係る第一開閉部材を開閉した状態を示した斜視図。
【図９】別実施形態に係る第一及び第二大入賞口装置の配置状態を示した概略正面図。
【図１０】従来技術に係る第一及び第二大入賞口装置の配置状態を示した概略正面図。
【発明を実施するための形態】
【００１４】
まず、本発明に係るパチンコ遊技機の第一実施形態である遊技機１の全体的な構成について、図面を用いて説明する。
なお、以下の説明では、遊技機１を遊技者側から見て、手前側を遊技機１の前側とし、奥側を遊技機１の後側として、前後方向を規定する。また、遊技機１を遊技者側から見て、左手側を遊技機１の左側とし、右手側を遊技機１の右側として、左右方向を規定する。
【００１５】
遊技機１は、図１及び図２に示すように、主として、外枠２と、中枠３と、窓枠４と、により構成される枠体に、各種の遊技部品が取り付けられて形成される。
【００１６】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１７】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１８】
遊技盤５は、略平板状に形成される部材である。遊技盤５は、中枠３の下側を除く略全面に渡って、中枠３に着脱自在に取り付けられる。遊技盤５の前側の表面には、遊技球が転動する領域である遊技領域１９が形成される（図３を参照）。また、遊技盤５における遊技領域１９の部分には、遊技球を不規則に転動させるために図示しない多数の遊技釘が打ち込まれている。
【００１９】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００２０】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２１】
次に、遊技盤５の構成について、図３から図８を用いてさらに詳細に説明する。
【００２２】
遊技盤５には、遊技部品としてガイドレール１０、図柄表示装置１１、図柄表示開口部１２、一般入賞口１３、第一可変入賞装置である第一大入賞口装置３１、第二可変入賞装置である第二大入賞口装置４１、第一始動口１５、可動片２２を備える第二始動口２３、アウト口１６などが設けられている。
【００２３】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２４】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２５】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２６】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２７】
第一大入賞口装置３１は、所定の大当たり抽選により大当たりが選択されると、第一開閉部材３３を開放して遊技球が入球（入賞）可能に構成される装置である。第二大入賞口装置４１は、第二開閉部材４３を開放して遊技球が入球（入賞）可能に構成される装置である。第一大入賞口装置３１及び第二大入賞口装置４１は遊技領域１９の右側下部に配置されており、第一入賞口である第一大入賞口３２又は第二入賞口である第二大入賞口４２に遊技球が入球すると図示せぬ賞球払出装置によって所定数の遊技球（賞球）が払い出されるように構成される。
【００２８】
第二始動口２３は、所定の作動条件に応じて左右一対の可動片２２が開閉作動する。そして、第二始動口２３に遊技球が入球（入賞）可能な開放状態と入球（入賞）不能な閉塞状態とに切り替え可能に構成される。第二始動口２３は、遊技領域１９において図柄表示開口部１２の下方であって第二大入賞口装置４１の左下方に配置される。第二始動口２３は前記開放状態において遊技球が入球（入賞）すると図示せぬ賞球払出装置によって所定数の遊技球（賞球）が払い出されるように構成される。
【００２９】
アウト口１６は、遊技領域１９を転動する遊技球が、一般入賞口１３、第一大入賞口３２、第二大入賞口４２、第一始動口１５、第二始動口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００３０】
図３及び図４に示す如く、第一大入賞口装置３１及び第二大入賞口装置４１は、遊技盤５に固定されるベース板である台板５０に配設される。
図４、図５（ａ）に示す如く、台板５０には固定孔５０ａ・５０ａ・・・が形成されており、この固定孔５０ａ・５０ａ・・・を介してボルト等の固定具を挿入することにより、台板５０が遊技盤５に固定される。
【００３１】
台板５０には遊技球を台板５０の背後に案内可能な第一孔部３５、第二孔部４６、第三孔部４８、及び第四孔部５５が形成されている。また、台板５０には第一開閉部材３３が前後方向にスライド可能に貫通される長溝孔５６が形成されている。
【００３２】
また、台板５０には遊技球を後方に案内可能な連通孔５１と、遊技球を台板５０の前方に案内可能な連通孔５３とが、遊技盤５の表側から裏側に連通して形成され、遊技盤５の背面側には、連通孔５１から連通孔５３まで裏側通路５２が形成されている。裏側通路５２は、左側が下方となるように傾斜して形成されており、流入した遊技球が連通孔５３の方向に転動することができる。裏側通路５２の前側は、裏側通路５２を通過する遊技球を視認可能に透明なカバー部材５４で被覆されている。
【００３３】
台板５０にはその内部を遊技球が通過したことを検知可能な第一センサ３４、第二センサ４４、第三センサ４７が配設されている。第二センサ４４と第三センサ４７の左上側には、それぞれ羽根状の第二開閉部材４３及び第三開閉部材４５が前後方向に回転軸を向けて、左右に揺動可能に配設されている。
【００３４】
台板５０は図４に示す如く、透明のカバー部材６０でその前面を被覆される。以下に記載の如く、カバー部材６０の各部により遊技球の通路が形成され、遊技球は台板５０とカバー部材６０との間に形成される各通路を通るように構成される。
カバー部材６０の上側中央部のやや右側よりには、長板状の第一案内部６２及び第一案内部６２と連通する半円筒状の第一受け部６３が形成される。第一案内部６２の上に流下した遊技球は、第一センサ３４を通過するように案内された後、第一受け部６３を通じて第一孔部３５に案内される。第一センサ３４で遊技球が通過したことを検知すると、賞球払出装置から所定数の遊技球（賞球）が払い出される。
【００３５】
カバー部材６０における第一受け部６３の左側には、半円筒状の球入口受け部６４が左側上方に向かって開口するように形成され、この開口部分が球入口５７（図４中に示す右側破線部分）として構成される。本実施形態において遊技球は右側を上流側として、下流側である左側に向かって流下するため、右側から左側に向かう遊技球は球入口５７には入りにくくなるように構成されている。球入口５７を通じて球入口受け部６４に流下した遊技球は、連通孔５１を通じて裏側通路５２に案内され、連通孔５３を通じて台板５０の前方に案内される。即ち、連通孔５３における下流側を構成する部分（図４中に示す左側破線部分）が球出口５８として構成される。
【００３６】
このように、球入口受け部６４と連通孔５１とにより、球入口５７に流入する遊技球を遊技盤５の表側から裏側に案内する第一通路が構成される。また、裏側通路５２により、第一通路を通過した遊技球を遊技盤５の裏側を通して案内する第二通路が構成される。さらに、連通孔５３により、第二通路である裏側通路５２を通過した遊技球を遊技盤５の裏側から表側に案内する第三通路が構成される。即ち、遊技機１は、第一通路、第二通路（裏側通路５２）、及び、第三通路で構成された球通路を備えるのである。球出口５８は第二開閉部材４３よりも下流側に位置する第三案内部６６の直上に位置する。このため、球出口５８を通じて台板５０の前方に出た遊技球は第三案内部６６に案内され、遊技盤５に打ち込まれた遊技釘に案内されて、遊技領域１９の中央下部で第二始動口２３の右上部に流下する。つまり、球通路（第一通路から第三通路、以下同じ）を通過した遊技球は、第一大入賞口装置３１及び第二大入賞口装置４１の何れにも入賞しない領域に案内される。換言すれば、台板５０には、第一大入賞口装置３１及び第二大入賞口装置４１の何れにも入賞しない領域まで、球通路が形成されているのである。
【００３７】
カバー部材６０における球入口受け部６４の左側には、長板状の第二案内部６５が形成されている。第二案内部６５の下流側には第二開閉部材４３が配設されている。第二開閉部材４３が閉状態（右側に揺動している状態）の場合、遊技球は第三案内部６６に案内され、遊技領域１９の中央下部で第二始動口２３の右上部に流下する。第二開閉部材４３が開状態（左側に揺動している状態）の場合、遊技球は第二センサ４４を通過するように案内された後、第二センサ４４の下方に配設された第三開閉部材４５の上側に案内される。第二センサ４４で遊技球が通過したことを検知すると、賞球払出装置から所定数の遊技球（賞球）が払い出される。第三開閉部材４５が閉状態（右側に揺動している状態）の場合、遊技球は第二受け部６７を通じて第二孔部４６に案内される。第三開閉部材４５が開状態（左側に揺動している状態）の場合、遊技球は第三センサ４７を通過するように案内された後、第三受け部６８を通じて第三孔部４８に案内される。第三センサ４７で遊技球が通過したことを検知すると、大当り状態（いわゆる「Ｖ入賞」）となる。
【００３８】
カバー部材６０における第一案内部６２の右側には、凹状の第四案内部６９が形成される。第四案内部６９に流下した遊技球は、第四孔部５５を通じて台板５０の後方に案内され、その後アウト口１６から排出される。
【００３９】
第一大入賞口装置３１は、第一大入賞口３２がその上面を開口して遊技盤５の前方に設けられる。そして、第一大入賞口装置３１は板状の第一開閉部材３３を、その短手方向に前後に進退させて開閉することにより、第一大入賞口３２を開閉するように構成される（上面開閉型）。具体的には図７（ａ）及び（ｂ）に示す如く、第一開閉部材３３は遊技盤５の裏側に配置されたソレノイド７１から延出する出力軸７２と連結されており、ソレノイド７１を駆動させることにより遊技盤５に対して前後方向に進退させられる。
【００４０】
図７（ａ）は、第一開閉部材３３が遊技盤５から前進して第一大入賞口３２の上面を塞いだ状態（第一大入賞口３２の閉状態）を示す図であり、図７（ｂ）は、第一開閉部材３３が遊技盤５の前側から退避して第一大入賞口３２の上面を開放した状態（第一大入賞口３２の開状態）を示す図である。ソレノイド７１は、遊技機１の図示しない制御部からの制御信号を受信することで第一開閉部材３３を進退させる。すなわち、ソレノイド７１への非通電時には、第一開閉部材３３がコイルばね７３により力を受け、第一開閉部材３３および出力軸７２は図７（ａ）に示す如く前方に突出し、第一大入賞口３２は閉状態となる。このとき、第一開閉部材３３の上面は遊技球の通路として機能する。
【００４１】
一方、ソレノイド７１への通電時には、出力軸７２及び第一開閉部材３３が図７（ａ）中の矢印Ｂに示す如く後退して図７（ｂ）に示す状態となり、第一大入賞口３２は開状態となる。本実施形態においては、第一開閉部材３３が図７（ｂ）に示す状態となったときに遊技球が入賞可能となる範囲（図４中の幅ｄ１）を第一大入賞口３２として記載する。
【００４２】
第二大入賞口装置４１は第一大入賞口装置３１よりも遊技盤５の中央側で、遊技球の流下する下流側（本実施形態においては第一大入賞口装置３１の左側下方）に配設される。換言すれば、第一大入賞口装置３１は第二大入賞装置４１に対して遊技盤５の上を転動する遊技球の流れにおける上流側に位置している。第二大入賞口装置４１は羽根状の第二開閉部材４３を左右に揺動させて開閉することにより、第二大入賞口４２を開閉するように構成される。本実施形態においては図４に示す如く、第二開閉部材４３が左側に揺動したときに遊技球が入賞可能となる範囲（図４中の幅ｄ２）を第二大入賞口４２として記載する。
【００４３】
第一大入賞口装置３１と第二大入賞口装置４１とは台板５０において、第一大入賞口３２と第二大入賞口４２とが幅方向（左右方向）に並んで接近配置されている。そして、第一開閉部材３３が開状態の場合には、第一大入賞口装置３１に流れる遊技球は第一大入賞口３２に入賞する。一方、第一開閉部材３３が閉状態で第二開閉部材４３が開状態の場合には、第一大入賞口装置３１に流れる遊技球は、第一開閉部材３３の上面により第二大入賞装置４１に誘導されて第二大入賞口４２に入賞する。具体的には、第一開閉部材３３は図４に示す如く左下方向に向かって傾いて配設されている。このため、第一開閉部材３３が閉状態の間に第一大入賞口装置３１に流下した遊技球は、第一開閉部材３３の上面である斜面上を左側方に向かって転がり、第二大入賞口装置４１の側に誘導されるのである。
【００４４】
このように、第一大入賞口装置３１は第一開閉部材３３、第一案内部６２、第一センサ３４、第一受け部６３、及び、第一孔部３５等で構成されている。また、第二大入賞口装置４１は第二案内部６５、第二開閉部材４３、第二センサ４４、第三開閉部材４５、第二受け部６７、第二孔部４６、第三センサ４７、第三受け部６８、及び、第三孔部４８等で構成されている。
そして、第一開閉部材３３が開状態の間は、遊技球は第一大入賞口３２の方向に流下する。一方、第一開閉部材３３が閉状態の間は、第一大入賞口装置３１に流下する遊技球を、第一開閉部材３３の上面を誘導部材として機能させて、第二大入賞口装置４１の側に誘導するのである。
なお、本実施形態においては第一大入賞口装置３１と第二大入賞口装置４１とは同一の台板５０をベース板として、それぞれが一個のベース板に配設される構成としているが、それぞれを別々の台板に配設する構成とすることもできる。詳細には、大入賞口装置がそれぞれ配設される複数個の台板を接近させて配置することで、ベース板を一体的に構成することも可能である。
【００４５】
遊技機１は上記の如く、第一大入賞口装置３１と第二大入賞口装置４１との間に、遊技球を球通路に流入させることが可能な球入口５７が設けられている。そして、球入口５７に流入した遊技球を第一大入賞口装置３１及び第二大入賞口装置４１に入賞しない領域に案内する球通路が形成されているのである。
【００４６】
本実施形態においては上記の如く構成しているため、上流側の第一大入賞口装置３１において第一開閉部材３３が閉状態の間でも、第一大入賞口装置３１に流下する遊技球は、その一部が球入口５７を通じて球通路に案内される。つまり、上流側の第一大入賞口装置３１における第一開閉部材３３が誘導部材として遊技球を下流側に誘導している場合でも、全ての遊技球が第二大入賞口装置４１に到達することはない。即ち、第一大入賞口装置３１における第一開閉部材３３が第二大入賞口装置４１における第二大入賞口４２の一部とみなされることがない。これにより、図４に示す如く、左側に揺動したときの第二開閉部材４３の端部から第二案内部６５の右端部までの幅ｄ２が第二大入賞口装置４１における第二大入賞口４２の幅寸法となる。即ち、第二大入賞口装置４１における大入賞口４２の幅寸法は、第一大入賞口装置３１の第一大入賞口３２との合計幅寸法とはならないため、制限値である所定の大きさを越える可能性がないのである。
また、本実施形態においては、第一大入賞口３２と第二大入賞口４２との合計幅寸法は前記所定の大きさよりも大きく、第一大入賞口３２と第二大入賞口４２のそれぞれの幅寸法を確保することができるため、遊技者の遊技意欲を減退させることがない。
【００４７】
また、本実施形態においては、球入口５７に流入した遊技球は、球通路を通じて、遊技盤５の第一大入賞口装置３１及び第二大入賞口装置４１の何れとも異なる他の入賞口である、第二始動口２３に入賞する可能性のある領域（第二始動口２３の右上部）に案内されるように構成している。換言すれば、台板５０には、球入口５７から第一大入賞口装置３１及び第二大入賞口装置４１の何れとも異なる第二始動口２３に入賞する可能性のある領域まで、球通路が形成されているのである。遊技球が第一大入賞口装置３１及び第二大入賞口装置４１の何れにも入賞せずに、アウト口１６に向けて案内される場合は、遊技者は落胆感を感じることとなる。一方、本実施形態によれば、遊技球が球入口５７に流入しても第二始動口２３に入賞する機会が付与できるため、遊技者が感じる落胆感を軽減させることができる。
【００４８】
また、本実施形態において球通路は、球入口５７に流入する遊技球を遊技盤５の表側から裏側に案内する第一通路と、第一通路を通過した遊技球を遊技盤５の裏側を通して案内する第二通路と、第二通路を通過した遊技球を遊技盤５の裏側から表側に案内する第三通路とを備える。これにより、遊技盤５の盤上に球通路を配置するための領域を確保する必要がなくなるため、他の遊技部品を配置するためのスペースを設けることができる。
【００４９】
本実施形態における第二大入賞口装置４１は羽根状の第二開閉部材４３を左右に揺動させて開閉する機構としたが、別の機構によって開閉する構成とすることも可能である。例えば、図８（ａ）及び（ｂ）に示す如く、遊技盤５の裏側に配置されたソレノイド１７１により、回動軸１３３ｃで回動可能に支持された第二開閉部材１３３が前後に回転駆動される機構（前面開閉型）にできる。図８（ａ）は、第二開閉部材１３３が遊技盤５の側に回動した状態（第二大入賞口の閉状態）を示す図であり、図８（ｂ）は、第二開閉部材１３３が遊技盤５の前方に回動した状態（第二大入賞口の開状態）を示す図である。図８（ａ）に示すように、ソレノイド１７１のプランジャー１７２から突出する係合軸１７４が、第二開閉部材１３３の側板１３３ａに開口された孔１３３ｂと係合している。そして、ソレノイド１７１が通電している間は、プランジャー１７２及び係合軸１７４がソレノイド１７１の方へ引きつけられる。これにより、第二開閉部材１３３が後方に回転して閉状態となる。他方、ソレノイド１７１が通電されなくなると、プランジャー１７２の外側に装着されたバネ１７３の復元力によりプランジャー１７２及び係合軸１７４は元の位置に戻り、第二開閉部材１３３が前方に回転して開状態となる。
【００５０】
また、図９に示す如く、第一大入賞口装置２３１を、第一開閉部材２３３を前後にスライドさせる上面開閉型とし、第二大入賞口装置２４１を、第二開閉部材２４３を前後に回転駆動させる前面開閉型として、台板２５０に配設する構成とできる。この場合、第二開閉部材２４３の下側に、台板２５０から前方に突出した長板状に球通路２５２が形成され、第二開閉部材２４３が閉状態となった際に、第二開閉部材２４３と球通路２５２の後側の縁部分とが同一面に位置するように構成される。また、第一大入賞口装置２３１と第二大入賞口装置２４１との間に、遊技球を球通路２５２に流入させることが可能な球入口２５１が形成される。
本実施形態においては、球入口２５１の右側に、左側方に突出する突起部２５２ａが形成されているため、右側から左側に向かう遊技球は球入口２５１には入りにくくなるように構成されている。
また、第二大入賞口装置代えて、図３中に示す第二始動口２３の如く、左右一対の可動片が開閉作動する可変入賞装置を配置することも可能である。
【符号の説明】
【００５１】
１    遊技機
５    遊技盤
３１    第一大入賞口装置（第一可変入賞装置）
３２    第一大入賞口（第一入賞口）
４１    第二大入賞口装置（第二可変入賞装置）
４２    第二大入賞口（第二入賞口）
５７    球入口
【図１】
2014090990.tif 000003
【図２】
2014090990.tif 000004
【図３】
2014090990.tif 000005
【図４】
2014090990.tif 000006
【図５】
2014090990.tif 000007
【図６】
2014090990.tif 000008
【図７】
2014090990.tif 000009
【図８】
2014090990.tif 000010
【図９】
2014090990.tif 000011
【図１０】
2014090990.tif 000012